(57)【特許請求の範囲】
【請求項１】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムであって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にする、制御手段を有し、
前記制御手段は、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、前記制御手段は、
前記第１の画像形成装置が前記重連動作の為に実行する動作が、前記第１の一連の動作及び前記第２の一連の動作のうちの、前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にする、ことを特徴とする画像処理システム。
【請求項２】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムであって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にする、制御手段を有し、
前記制御手段は、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、前記制御手段は、
前記第１の画像形成装置が前記重連動作の為に実行する動作が前記第１の一連の動作である場合に、
該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にし、
一方、
前記第１の画像形成装置が前記重連動作の為に実行する動作が前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にする、ことを特徴とする画像処理システム。
【請求項３】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムであって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にする、制御手段を有し、
前記制御手段は、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、前記制御手段は、
前記第１の画像形成装置が前記重連動作の為に実行する動作が、前記第１の一連の動作及び前記第２の一連の動作のうちの、前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にし、
更に、前記制御手段は、
前記第１の画像形成装置が前記重連動作の為に実行する動作が前記第２の一連の動作であっても、前記重連動作にて処理すべき画像データの為にセキュリティ情報の入力を前記第１の画像形成装置にて実行させる為の指示がなされていない場合は、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にする、ことを特徴とする画像処理システム。
【請求項４】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムであって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にする、制御手段を有し、
前記制御手段は、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、前記制御手段は、
前記第１の画像形成装置が前記重連動作の為に実行する動作が前記第１の一連の動作である場合に、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にし、一方、
前記第１の画像形成装置が前記重連動作の為に実行する動作が前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にし、
更に、前記制御手段は、
前記第１の画像形成装置が前記重連動作の為に実行する動作が前記第２の一連の動作であっても、前記重連動作にて処理すべき画像データの為にセキュリティ情報の入力を前記第１の画像形成装置にて実行させる為の指示がなされていない場合は、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にする、ことを特徴とする画像処理システム。
【請求項５】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置であって、
前記重連動作の為に、
自装置にて取り込んだ自装置の記憶手段の画像データの印刷を該自装置自身で実行させ、且つ、該自装置にて取り込んだ画像データの印刷を他の画像形成装置でも実行させるべく、該自装置にて取り込んだ画像データを、通信手段を介して、前記他の画像形成装置へ送信させる、第１の一連の動作を、実行可能にする、制御手段を有し、
前記制御手段は、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、自装置で受信させ、且つ、該自装置が受信した画像データの印刷を自装置により実行させる、第２の一連の動作を、実行可能にし、
更に、前記制御手段は、
自装置が前記重連動作の為に実行する動作が、前記第１の一連の動作及び前記第２の一連の動作のうちの、前記第２の一連の動作である場合に、
該重連動作にて処理すべき自装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき自装置のみならず前記他の画像形成装置においても印刷対象の前記画像データの印刷を自装置自身が行う際には、
自装置にてセキュリティ情報の入力がなされたうえで、該処理すべき画像データの印刷を自装置により実行可能にする、ことを特徴とする画像形成装置。
【請求項６】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置であって、
前記重連動作の為に、
自装置にて取り込んだ自装置の記憶手段の画像データの印刷を該自装置自身で実行させ、且つ、該自装置にて取り込んだ画像データの印刷を他の画像形成装置でも実行させるべく、該自装置にて取り込んだ画像データを、通信手段を介して、前記他の画像形成装置へ送信させる、第１の一連の動作を、実行可能にする、制御手段を有し、
前記制御手段は、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、自装置で受信させ、且つ、該自装置が受信した画像データの印刷を自装置により実行させる、第２の一連の動作を、実行可能にし、
更に、前記制御手段は、
自装置が前記重連動作の為に実行する動作が前記第１の一連の動作である場合に、該重連動作にて処理すべき画像データの印刷を自装置自身が行う際に、自装置にてセキュリティ情報の入力無しに、該処理すべき画像データの印刷を自装置により実行可能にし、
一方、
自装置が前記重連動作の為に実行する動作が前記第２の一連の動作である場合に、
該重連動作にて処理すべき自装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき自装置のみならず前記他の画像形成装置においても印刷対象の前記画像データの印刷を自装置自身が行う際には、
自装置にてセキュリティ情報の入力がなされたうえで、該処理すべき画像データの印刷を自装置により実行可能にする、ことを特徴とする画像形成装置。
【請求項７】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置であって、
前記重連動作の為に、
自装置にて取り込んだ自装置の記憶手段の画像データの印刷を該自装置自身で実行させ、且つ、該自装置にて取り込んだ画像データの印刷を他の画像形成装置でも実行させるべく、該自装置にて取り込んだ画像データを、通信手段を介して、前記他の画像形成装置へ送信させる、第１の一連の動作を、実行可能にする、制御手段を有し、
前記制御手段は、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、自装置で受信させ、且つ、該自装置が受信した画像データの印刷を自装置により実行させる、第２の一連の動作を、実行可能にし、
更に、前記制御手段は、
自装置が前記重連動作の為に実行する動作が、前記第１の一連の動作及び前記第２の一連の動作のうちの、前記第２の一連の動作である場合に、
該重連動作にて処理すべき自装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき自装置のみならず前記他の画像形成装置においても印刷対象の前記画像データの印刷を自装置自身が行う際には、
自装置にてセキュリティ情報の入力がなされたうえで、該処理すべき画像データの印刷を自装置により実行可能にし、
更に、前記制御手段は、
自装置が前記重連動作の為に実行する動作が前記第２の一連の動作であっても、前記重連動作にて処理すべき画像データの為にセキュリティ情報の入力を該自装置にて実行させる為の指示がなされていない場合は、該重連動作にて処理すべき画像データの印刷を該自装置自身が行う際に、該自装置にてセキュリティ情報の入力無しに、該処理すべき画像データの印刷を該自装置により実行可能にする、ことを特徴とする画像形成装置。
【請求項８】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置であって、
前記重連動作の為に、
自装置にて取り込んだ自装置の記憶手段の画像データの印刷を該自装置自身で実行させ、且つ、該自装置にて取り込んだ画像データの印刷を他の画像形成装置でも実行させるべく、該自装置にて取り込んだ画像データを、通信手段を介して、前記他の画像形成装置へ送信させる、第１の一連の動作を、実行可能にする、制御手段を有し、
前記制御手段は、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、自装置で受信させ、且つ、該自装置が受信した画像データの印刷を自装置により実行させる、第２の一連の動作を、実行可能にし、
更に、前記制御手段は、
自装置が前記重連動作の為に実行する動作が前記第１の一連の動作である場合に、該重連動作にて処理すべき画像データの印刷を自装置自身が行う際に、自装置にてセキュリティ情報の入力無しに、該処理すべき画像データの印刷を自装置により実行可能にし、
一方、
自装置が前記重連動作の為に実行する動作が前記第２の一連の動作である場合に、
該重連動作にて処理すべき自装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき自装置のみならず前記他の画像形成装置においても印刷対象の前記画像データの印刷を自装置自身が行う際には、
自装置にてセキュリティ情報の入力がなされたうえで、該処理すべき画像データの印刷を自装置により実行可能にし、
更に、前記制御手段は、
自装置が前記重連動作の為に実行する動作が前記第２の一連の動作であっても、前記重連動作にて処理すべき画像データの為にセキュリティ情報の入力を該自装置にて実行させる為の指示がなされていない場合は、該重連動作にて処理すべき画像データの印刷を該自装置自身が行う際に、該自装置にてセキュリティ情報の入力無しに、該処理すべき画像データの印刷を該自装置により実行可能にする、ことを特徴とする画像形成装置。
【請求項９】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにおける制御方法であって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、
且つ、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、
前記第１の画像形成装置が前記重連動作の為に実行する動作が、前記第１の一連の動作及び前記第２の一連の動作のうちの、前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にする、ことを特徴とする制御方法。
【請求項１０】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにおける制御方法であって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、
且つ、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、
前記第１の画像形成装置が前記重連動作の為に実行する動作が前記第１の一連の動作である場合に、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にし、
一方、
前記第１の画像形成装置が前記重連動作の為に実行する動作が前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にする、ことを特徴とする制御方法。
【請求項１１】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにおける制御方法であって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、
且つ、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、
前記第１の画像形成装置が前記重連動作の為に実行する動作が、前記第１の一連の動作及び前記第２の一連の動作のうちの、前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にし、
更に、
前記第１の画像形成装置が前記重連動作の為に実行する動作が前記第２の一連の動作であっても、前記重連動作にて処理すべき画像データの為にセキュリティ情報の入力を前記第１の画像形成装置にて実行させる為の指示がなされていない場合は、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にする、ことを特徴とする制御方法。
【請求項１２】
自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにおける制御方法であって、
前記重連動作の為に、
前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、
且つ、
前記第１の一連の動作とは別に、前記重連動作の為に、
前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、
更に、
前記第１の画像形成装置が前記重連動作の為に実行する動作が前記第１の一連の動作である場合に、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にし、
一方、
前記第１の画像形成装置が前記重連動作の為に実行する動作が前記第２の一連の動作である場合に、
該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、
該重連動作にて処理すべき前記第１の画像形成装置のみならず前記第２の画像形成装置においても印刷対象の前記画像データの印刷を該第１の画像形成装置自身が行う際には、
該第１の画像形成装置にてセキュリティ情報の入力がなされたうえで、該処理すべき画像データの印刷を該第１の画像形成装置により実行可能にし、
更に、
前記第１の画像形成装置が前記重連動作の為に実行する動作が前記第２の一連の動作であっても、前記重連動作にて処理すべき画像データの為にセキュリティ情報の入力を前記第１の画像形成装置にて実行させる為の指示がなされていない場合は、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にする、ことを特徴とする制御方法。
【請求項１３】
前記第１の画像形成装置が前記重連動作の為に実行する動作が前記第２の一連の動作であり、且つ、前記重連動作にて処理すべき画像データの為にセキュリティ情報の入力を前記第１の画像形成装置にて実行させる為の指示がなされている場合において、該処理すべき画像データと共に該第１の画像形成装置が前記通信手段を介して受信したセキュリティ情報に一致するセキュリティ情報が、該重連動作にて処理すべき画像データの印刷を該第１の画像形成装置自身が行う際に、該第１の画像形成装置にて、入力された場合に、該処理すべき画像データの印刷を該第１の画像形成装置により実行させ、一方、前記第１の画像形成装置が前記重連動作の為に実行する動作が前記第２の一連の動作であり、且つ、前記重連動作にて処理すべき画像データの為にセキュリティ情報の入力を前記第１の画像形成装置にて実行させる為の指示がなされている場合において、該処理すべき画像データと共に該第１の画像形成装置が前記通信手段を介して受信したセキュリティ情報に一致するセキュリティ情報が、該重連動作にて処理すべき画像データの印刷を該第１の画像形成装置自身が行う際に、該第１の画像形成装置にて、入力されない場合、該処理すべき画像データの印刷を該第１の画像形成装置により実行させない、ことを特徴とする、請求項９乃至１２の何れかに記載の制御方法。
【請求項１４】
前記重連動作にて処理すべき画像データの為にセキュリティ情報の入力を前記第１の画像形成装置にて実行させる為の指示が、前記第２の画像形成装置の操作手段を介して、ユーザによりなされている場合で、且つ、前記第１の画像形成装置が前記重連動作の為に実行する動作が前記第２の一連の動作である場合に、該重連動作にて処理すべき画像データの印刷を該第１の画像形成装置自身が行う際に、該第１の画像形成装置にてセキュリティ情報の入力がなされたうえで、該処理すべき画像データの印刷を該第１の画像形成装置により実行可能にし、一方、前記重連動作にて処理すべき画像データの為にセキュリティ情報の入力を前記第１の画像形成装置にて実行させる為の前記指示が、前記第２の画像形成装置の操作手段を介して、ユーザによりなされていない場合に、前記第１の画像形成装置が前記重連動作の為に実行する動作が前記第２の一連の動作であっても、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にする、ことを特徴とする請求項９乃至１３の何れかに記載の制御方法。
【請求項１５】
前記画像処理システムは、前記第１の画像形成装置及び前記第２の画像形成装置の他にコンピュータも具備しており、
前記第１の画像形成装置が前記重連動作の為に実行する動作が前記第２の一連の動作であり、且つ、前記重連動作にて処理すべき画像データの為にセキュリティ情報の入力を前記第１の画像形成装置にて実行させる為の指示が前記コンピュータを介して実行された場合に、該第１の画像形成装置にてセキュリティ情報の入力がなされたうえで、該処理すべき画像データの印刷を該第１の画像形成装置により実行可能にする、ことを特徴とする請求項９乃至１３の何れかに記載の制御方法。
【請求項１６】
前記第１の画像形成装置におけるセキュリティ情報の入力として、該第１の画像形成装置の操作手段を介してユーザにより暗証番号の入力を実行可能にする、ことを特徴とする請求項９乃至１５の何れかに記載の制御方法。
【請求項１７】
前記第１の画像形成装置におけるセキュリティ情報の入力として、該第１の画像形成装置にてＩＤカードによるＩＤ入力を実行可能にする、ことを特徴とする請求項９乃至１５の何れかに記載の制御方法。
【請求項１８】
前記第１の画像形成装置が前記重連動作の為に実行する動作が前記第１の一連の動作である場合に、前記重連動作にて処理すべき画像データを、前記第１の画像形成装置自身が具備する原稿読取手段から取り込み、該第１の画像形成装置が具備する記憶手段に記憶させる、ことを特徴とする請求項９乃至１７の何れかに記載の制御方法。
【請求項１９】
前記第１の画像形成装置が前記重連動作の為に実行する動作が前記第１の一連の動作である場合に、前記重連動作にて処理すべき画像データを、該第１の画像形成装置が具備する記憶手段に記憶させた後に、該処理すべき画像データの印刷を該第１の画像形成装置自身で実行させ、且つ、該処理すべき画像データを、前記通信手段を介して、前記第１の画像形成装置から前記第２の画像形成装置へ送信させる、ことを特徴とする請求項９乃至１８の何れかに記載の制御方法。
【請求項２０】
前記第１の画像形成装置が前記重連動作の為に実行する動作が前記第１の一連の動作である場合に、前記重連動作にて処理すべき画像データを、全ページ、すべて、該第１の画像形成装置が具備する記憶手段に記憶させた後に、該処理すべき画像データを、前記通信手段を介して、前記第１の画像形成装置から前記第２の画像形成装置へ送信させる、ことを特徴とする請求項９乃至１９の何れかに記載の制御方法。
【請求項２１】
前記第１の画像形成装置が前記重連動作の為に実行する動作が前記第２の一連の動作である場合に、前記重連動作にて処理すべき画像データが、前記第２の画像形成装置が具備する記憶手段に記憶された後に、前記通信手段を介して、該第２の画像形成装置から前記第１の画像形成装置により該処理すべき画像データを受信させ、且つ、該第１の画像形成装置が受信した該画像データを該第１の画像形成装置が具備する記憶手段に記憶させた後に、該画像データの印刷を該第１の画像形成装置により実行可能にする、ことを特徴とする、請求項９乃至２０の何れかに記載の制御方法。
【請求項２２】
前記第１の画像形成装置が前記重連動作の為に実行する動作が前記第２の一連の動作である場合に、前記重連動作にて処理すべき画像データが、全ページ、すべて、前記第２の画像形成装置が具備する記憶手段に記憶された後に、前記通信手段を介して、該第２の画像形成装置から前記第１の画像形成装置により該処理すべき画像データを受信させ、且つ、該第１の画像形成装置が受信した該画像データを該第１の画像形成装置が具備する記憶手段に記憶させた後に、該画像データの印刷を該第１の画像形成装置により実行可能にする、ことを特徴とする、請求項９乃至２１の何れかに記載の制御方法。
【請求項２３】
前記第１の画像形成装置と前記第２の画像形成装置の合計２台で前記重連動作を前記画像処理システムにて実行可能にすることを特徴とする請求項９乃至２２の何れかに記載の制御方法。
【請求項２４】
前記第１の画像形成装置と前記第２の画像形成装置の合計２台で前記重連動作を実行可能にする場合に、前記第１の画像形成装置と前記第２の画像形成装置とで同じ回数分の印刷動作を実行可能にする、ことを特徴とする請求項９乃至２３の何れかに記載の制御方法。
【請求項２５】
前記画像処理システムは、前記第１の画像形成装置と前記第２の画像形成装置以外にも他の画像形成装置を具備しており、
前記第１の画像形成装置が前記重連動作の為に実行する動作が、前記第１の一連の動作である場合に、前記第１の画像形成装置自身と前記第２の画像形成装置の合計２台で前記重連動作を実行させるべく、該第１の画像形成装置の操作手段の表示部を介して該第２の画像形成装置をユーザにより選択可能にする、ことを特徴とする請求項９乃至２４の何れかに記載の制御方法。
【請求項２６】
前記第１の画像形成装置と前記第２の画像形成装置と更に他の画像形成装置を含めた複数台の画像形成装置で前記重連動作を前記画像処理システムにて実行可能にすることを特徴とする請求項９乃至２５の何れかに記載の制御方法。
【請求項２７】
前記重連動作にて印刷を行う各画像形成装置毎に、印刷部数を割当てることを特徴とする請求項９乃至２６の何れかに記載の制御方法。
【請求項２８】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置の制御方法であって、
前記重連動作の為に、
前記画像形成装置にて取り込んだ前記画像形成装置の記憶手段の画像データの印刷を該画像形成装置自身で実行させ、且つ、該画像形成装置にて取り込んだ画像データの印刷を他の画像形成装置でも実行させるべく、該画像形成装置にて取り込んだ画像データを、通信手段を介して、前記他の画像形成装置へ送信させる、第１の一連の動作を、該画像形成装置により、実行可能にし、
且つ、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、前記画像形成装置により受信させ、且つ、該画像形成装置が受信した画像データの印刷を該画像形成装置により実行させる、第２の一連の動作を、該画像形成装置により、実行可能にし、
更に、
前記画像形成装置が前記重連動作の為に実行する動作が、前記第１の一連の動作及び前記第２の一連の動作のうちの、前記第２の一連の動作である場合に、
該重連動作にて処理すべき前記画像形成装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき前記画像形成装置のみならず前記他の画像形成装置においても印刷対象の前記画像データの印刷を該画像形成装置自身が行う際には、
該画像形成装置にてセキュリティ情報の入力がなされたうえで、該処理すべき画像データの印刷を該画像形成装置により実行可能にする、ことを特徴とする制御方法。
【請求項２９】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置の制御方法であって、
前記重連動作の為に、
前記画像形成装置にて取り込んだ前記画像形成装置の記憶手段の画像データの印刷を該画像形成装置自身で実行させ、且つ、該画像形成装置にて取り込んだ画像データの印刷を他の画像形成装置でも実行させるべく、該画像形成装置にて取り込んだ画像データを、通信手段を介して、前記他の画像形成装置へ送信させる、第１の一連の動作を、該画像形成装置により、実行可能にし、
且つ、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、前記画像形成装置により受信させ、且つ、該画像形成装置が受信した画像データの印刷を該画像形成装置により実行させる、第２の一連の動作を、該画像形成装置により、実行可能にし、
更に、
前記画像形成装置が前記重連動作の為に実行する動作が前記第１の一連の動作である場合に、該重連動作にて処理すべき画像データの印刷を該画像形成装置自身が行う際に、該画像形成装置にてセキュリティ情報の入力無しに、該処理すべき画像データの印刷を該画像形成装置により実行可能にし、一方、
前記画像形成装置が前記重連動作の為に実行する動作が前記第２の一連の動作である場合に、
該重連動作にて処理すべき前記画像形成装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき前記画像形成装置のみならず前記他の画像形成装置においても印刷対象の前記画像データの印刷を該画像形成装置自身が行う際には、
該画像形成装置にてセキュリティ情報の入力がなされたうえで、該処理すべき画像データの印刷を該画像形成装置により実行可能にする、ことを特徴とする制御方法。
【請求項３０】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置の制御方法であって、
前記重連動作の為に、
前記画像形成装置にて取り込んだ前記画像形成装置の記憶手段の画像データの印刷を該画像形成装置自身で実行させ、且つ、該画像形成装置にて取り込んだ画像データの印刷を他の画像形成装置でも実行させるべく、該画像形成装置にて取り込んだ画像データを、通信手段を介して、前記他の画像形成装置へ送信させる、第１の一連の動作を、該画像形成装置により、実行可能にし、
且つ、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、前記画像形成装置により受信させ、且つ、該画像形成装置が受信した画像データの印刷を該画像形成装置により実行させる、第２の一連の動作を、該画像形成装置により、実行可能にし、
更に、
前記画像形成装置が前記重連動作の為に実行する動作が、前記第１の一連の動作及び前記第２の一連の動作のうちの、前記第２の一連の動作である場合に、
該重連動作にて処理すべき前記画像形成装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき前記画像形成装置のみならず前記他の画像形成装置においても印刷対象の前記画像データの印刷を該画像形成装置自身が行う際には、
該画像形成装置にてセキュリティ情報の入力がなされたうえで、該処理すべき画像データの印刷を該画像形成装置により実行可能にし、
更に、
前記画像形成装置が前記重連動作の為に実行する動作が前記第２の一連の動作であっても、前記重連動作にて処理すべき画像データの為にセキュリティ情報の入力を該画像形成装置にて実行させる為の指示がなされていない場合は、該重連動作にて処理すべき画像データの印刷を該画像形成装置自身が行う際に、該画像形成装置にてセキュリティ情報の入力無しに、該処理すべき画像データの印刷を該画像形成装置により実行可能にする、ことを特徴とする制御方法。
【請求項３１】
自装置にてセキュリティ情報の入力がなされたうえで処理対象の画像データの印刷を実行可能にする機能と通信手段とを備えた複数の画像形成装置を具備しており、且つ、処理すべき画像データの印刷を前記複数の画像形成装置にて実行させる重連動作が実行可能な、画像処理システムにおける、画像形成装置の制御方法であって、
前記重連動作の為に、
前記画像形成装置にて取り込んだ前記画像形成装置の記憶手段の画像データの印刷を該画像形成装置自身で実行させ、且つ、該画像形成装置にて取り込んだ画像データの印刷を他の画像形成装置でも実行させるべく、該画像形成装置にて取り込んだ画像データを、通信手段を介して、前記他の画像形成装置へ送信させる、第１の一連の動作を、該画像形成装置により、実行可能にし、
且つ、
前記第１の一連の動作とは別に、前記重連動作の為に、
他の画像形成装置にて取り込まれ且つ該他の画像形成装置でも印刷がなされる前記他の画像形成装置の記憶手段の画像データを、通信手段を介して、前記画像形成装置により受信させ、且つ、該画像形成装置が受信した画像データの印刷を該画像形成装置により実行させる、第２の一連の動作を、該画像形成装置により、実行可能にし、
更に、
前記画像形成装置が前記重連動作の為に実行する動作が前記第１の一連の動作である場合に、該重連動作にて処理すべき画像データの印刷を該画像形成装置自身が行う際に、該画像形成装置にてセキュリティ情報の入力無しに、該処理すべき画像データの印刷を該画像形成装置により実行可能にし、一方、
前記画像形成装置が前記重連動作の為に実行する動作が前記第２の一連の動作である場合に、
該重連動作にて処理すべき前記画像形成装置のみならず前記他の画像形成装置においても印刷対象の画像データが、前記他の画像形成装置の記憶手段に記憶された後に、前記他の画像形成装置にてセキュリティ情報の入力無しに、前記他の画像形成装置により、印刷されても、
該重連動作にて処理すべき前記画像形成装置のみならず前記他の画像形成装置においても印刷対象の前記画像データの印刷を該画像形成装置自身が行う際には、
該画像形成装置にてセキュリティ情報の入力がなされたうえで、該処理すべき画像データの印刷を該画像形成装置により実行可能にし、
更に、
前記画像形成装置が前記重連動作の為に実行する動作が前記第２の一連の動作であっても、前記重連動作にて処理すべき画像データの為にセキュリティ情報の入力を該画像形成装置にて実行させる為の指示がなされていない場合は、該重連動作にて処理すべき画像データの印刷を該画像形成装置自身が行う際に、該画像形成装置にてセキュリティ情報の入力無しに、該処理すべき画像データの印刷を該画像形成装置により実行可能にする、ことを特徴とする制御方法。
【発明の詳細な説明】
【０００１】
【発明の属する技術分野】
本発明は、複数の画像処理装置が通信媒体を介して接続される画像処理システム及び画像処理システムの制御方法に関する。
【０００２】
【従来の技術】
デジタル複写機や、プリンタ装置等、複数の画像処理装置が通信媒体を介して接続される画像処理システムが知られている。この種の画像処理システムは、例えば、１つの複写機のスキャン装置から読み込んだ画像を、１つの他の複写機、またはプリンタにおいてコピー動作をさせるリモートコピー機能を実現することができる。また、１つの複写機のスキャン装置から読み込んだ画像を、複数の複写機、またはプリンタにわけてコピー動作をさせる重連コピーという機能を実現することができる。重連コピーでは、例えば１０部のコピーを２台の複写機で行おうとした時、片方で５部、もう一方で５部プリントさせることができ、この場合２倍近いスピードでプリントが行われるのである。
【０００３】
【発明が解決しようとする課題】
しかしながら、この種の画像処理システムにおいて重連コピーを行う際、送信側の複写機、受信側の複写機ともに無条件にプリントがされている。このため、送信側の複写機から離れた位置にある複写機を受信側として選択し、重連コピーやリモートコピーを行った場合、コピー画像の機密性が保たれないことがあるという問題がある。
【０００４】
本発明は上述した問題点を解決するためのものであり、自装置にてセキュリティ情報の入力がなされたうえで処理対象の画像データの印刷を実行可能にする機能と通信手段とを備えた複数の画像形成装置を具備しており、且つ、処理すべき画像データの印刷を複数の画像形成装置にて実行させる重連動作が実行可能な、画像処理システムにおいて、重連動作を行う場合に、画像データの受信側装置が離れている場合においても、セキュリティ情報に応じたコピー処理ができ、コピー画像の機密性を十分に保つことを可能とした画像処理システムおよび画像形成装置、並びに、それらの制御方法を提供することを目的とする。
【０００５】
【課題を解決するための手段】
上記目的を達成するために、本発明は、自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにて、前記重連動作の為に、前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、且つ、前記第１の一連の動作とは別に、前記重連動作の為に、前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、更に、前記第１の画像形成装置が前記重連動作の為に実行する動作が、前記第１の一連の動作及び前記第２の一連の動作のうちの、前記第２の一連の動作である場合に、該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、該重連動作にて処理すべき前記第１の画像形成装置のみならず前記第２の画像形成装置においても印刷対象の前記画像データの印刷を該第１の画像形成装置自身が行う際には、該第１の画像形成装置にてセキュリティ情報の入力がなされたうえで、該処理すべき画像データの印刷を該第１の画像形成装置により実行可能にする、ことを特徴とする。
【０００６】
また、本発明は、自装置にてセキュリティ情報の入力がなされたうえで処理対象の画像データの印刷を実行可能にする機能と通信手段とを備えた第１の画像形成装置と第２の画像形成装置とを具備しており、且つ、処理すべき画像データの印刷を前記第１の画像形成装置と前記第２の画像形成装置の両方で実行させる重連動作が実行可能な、画像処理システムにて、前記重連動作の為に、前記第１の画像形成装置にて取り込んだ前記第１の画像形成装置の記憶手段の画像データの印刷を該第１の画像形成装置自身により実行させ、且つ、該第１の画像形成装置にて取り込んだ画像データの印刷を前記第２の画像形成装置でも実行させるべく、該第１の画像形成装置にて取り込んだ画像データを、通信手段を介して、該第１の画像形成装置から該第２の画像形成装置へ送信させる、第１の一連の動作を、該第１の画像形成装置により、実行可能にし、且つ、前記第１の一連の動作とは別に、前記重連動作の為に、前記第２の画像形成装置にて取り込まれ且つ該第２の画像形成装置自身でも印刷がなされる前記第２の画像形成装置の記憶手段の画像データを、通信手段を介して、前記第１の画像形成装置により受信させ、且つ、該第１の画像形成装置が受信した該画像データの印刷を該第１の画像形成装置により実行させる、第２の一連の動作を、該第１の画像形成装置により、実行可能にし、更に、前記第１の画像形成装置が前記重連動作の為に実行する動作が前記第１の一連の動作である場合に、該重連動作にて処理すべき画像データの印刷を該第１の画像形成装置自身が行う際に、該第１の画像形成装置にてセキュリティ情報の入力無しに、該処理すべき画像データの印刷を該第１の画像形成装置により実行可能にし、一方、前記第１の画像形成装置が前記重連動作の為に実行する動作が前記第２の一連の動作である場合に、該重連動作にて処理すべき前記第１の画像形成装置のみならず前記第２の画像形成装置においても印刷対象の画像データが、前記第２の画像形成装置の記憶手段に記憶された後に、前記第２の画像形成装置にてセキュリティ情報の入力無しに、前記第２の画像形成装置により、印刷されても、該重連動作にて処理すべき前記第１の画像形成装置のみならず前記第２の画像形成装置においても印刷対象の前記画像データの印刷を該第１の画像形成装置自身が行う際には、該第１の画像形成装置にてセキュリティ情報の入力がなされたうえで、該処理すべき画像データの印刷を該第１の画像形成装置により実行可能にする、ことを特徴とする。
【０００７】
【発明の実施の形態】
以下、図面を参照して本発明の実施の形態を説明する。
【０００８】
図１は、本発明を適用可能なデジタル複写機の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、ネットワークインターフェイス部７、ＬＩＰＳフォーマッタ部８、ポストスクリプトフォーマッタ部９、コア部１０などからなる。
【０００９】
ファクシミリ部４は電話回線を介して受信した圧縮画像データを伸長して、伸長された画像データをコア部１０へ転送し、又、コア部ｌ０から転送された画像データを圧縮して、圧縮された圧縮画像データを電話回線を介して送信する。ファイル部５には光磁気ディスクドライブユニット６が接続されており、ファイル部５はコア部１０から転送された画像データを圧縮し、その画像データを検索するためのキーワードとともに光磁気ディスクドライブユニット６にセットされた光磁気ディスクに記憶させる。又、ファイル部５はコア部ｌ０を介して転送されたキーワードに基づいて光磁気ディスクに記憶されている圧縮画像データを検索し、検索された圧縮画像データを読み出して伸長し、伸長された画像データをコア部１０へ転送する。
【００１０】
ネットワークインターフェイス部７は、本発明に係わるホストコンピュータ、つまり、パーソナルコンピュータ又はワークステーション（ＰＣ／ＷＳ）ｌｌとコア部ｌ０の間のインターフェイスである。また、同様にネットワーク接続されている他のデジタル複写機１３と、コア部１０間のインターフェイスにもなっている。本発明に関わる、ホストコンピュータからのプリントデータの受信を行う場合、このネットワークインターフェース７を介して行う。
【００１１】
１２はネットワークサーバーであり、ネットワーク制御の中枢である。ホストコンピュータからの印刷データ、たとえばＰＤＬデータは、ＰＣ／ＷＳ１１から、１２を通じて、複写機のネットワークインターフェース部７に流れる場合もある。フォーマッタ部８、９はＰＣ／ＷＳ１１から転送されたＰＤＬデータをプリンタ部２で記録できる画像データに展開するものである。コア部１０については後述するが、コア部１０はリーダ部１、ファクシミリ部４、ファイル部５、ネットワークインターフェイス部７、フォーマッタ部８、９のそれぞれの間のデータの流れを制御するものである。
【００１２】
図２は、図１を用いて説明したデジタル複写機の断面図である。１００は複写装置本体、１８０は循環式自動原稿送り装置（ＲＤＦ）である。図１におけるリーダ部１は、図２の１０１〜１０９、プリンタ部２は、図２の１１０〜１６３に対応する。
【００１３】
図２において、１０１は原稿載置台としてのプラテンガラスで、１０２はスキャナで、原稿照明ランプ１０３、走査ミラー１０４、１０５等で構成される。不図示のモータによりスキャナが所定方向に往復走査されて原稿の反射光を走査ミラー１０４〜１０６を介してレンズ１０８を透過してＣＣＤセンサ１０９に結像する。
【００１４】
１０７はレーザ、ポリゴンスキャナ等で構成された露光制御部で、イメージセンサ部１０９で電気信号に変換され、後述する所定の画像処理が行われた画像信号に基づいて変調されたレーザ光１２９を感光体ドラム１１０に照射する。
【００１５】
感光体ドラム１１０の回りには、１次帯電器１１２、現像器１７１、転写帯電器１１８・１１９、クリーニング装置１１６、前露光ランプ１１４が装備されている。画像形成部１２６において、感光体ドラム１１０は不図示のモータにより図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１７１により現像されて、トナー像として可視化される。
【００１６】
一方、上段カセット１３１あるいは下段カセット１３２からピックアップローラ１３３、１３４により給紙された転写紙は、給紙ローラ１３５、１３６により本体に送られ、レジストローラ１３７により転写ベルトに給送され、可視化されたトナー像が転写帯電器１１８により転写紙に転写される。転写後の感光体ドラムは、クリーナー装置１１６により残留トナーが清掃され、前露光ランプ１１４により残留電荷が消去される。
【００１７】
転写後の転写紙は、転写ベルト１３０から分離され、定着前帯電器１３９、１４０によりトナーの像が再帯電され、定着器１４１に送られ加圧、加熱により定着され、排出ローラ１４２により本体１００の外に排出される。
【００１８】
１３８はレジストローラから送られた転写紙を転写ベルト１３０に吸着される吸着帯電器であり、１３９は転写ベルト１３０の回転に用いられると同時に、吸着帯電器１３８と対になって、転写ベルト１３０に転写紙を吸着帯電させる転写ベルトローラである。
【００１９】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。また、１００枚の転写紙を収容し得る、マルチ手差し１５３が装備されている。
【００２０】
さらに、図２において、１５４は排紙フラッパであり、両面記録側ないし多重記録側と排紙側の経路を切り替える。排紙ローラ１４２から送り出された転写紙は、この排紙フラッパ１５４により両面記録側ないし多重記録側に切り替えられる。また、１５７は両面記録と多重記録の経路を切り替える多重フラッパであり、これを左方向に倒すことにより、転写紙を反転パス１５５に介さず、直接下搬送パス１５８に導く。１５９は経路１６０を通じて転写紙を感光体ドラム１２６側に給紙する給紙ローラである。
【００２１】
１６１は排紙フラッパ１５４の近傍に配置されて、この排紙フラッパ１５４により排出側に切り替えられた転写紙を機外に排出する排出ローラである。両面記録（両面複写）時には、排紙フラッパ１５４を上方に上げて、多重フラッパ１５７を右に倒し、複写済みの転写紙を搬送パス１５５で介したあと、多重フラッパ１５７を左に倒し、搬送パス１５８を介して、裏返した状態で再給紙トレイ１５６に格納する。また多重記録（多重複写）時には、排紙フラッパ１５４を上方に上げて、多重フラッパ１５７を左に倒し、複写済みの転写紙を搬送パス１５８で介したあと、再給紙トレイ１５６に格納する。再給紙トレイ１５６に格納されている転写紙が、下から１枚ずつ給紙ローラ１５９により経路１６０を介して本体のレジストローラ１３７に導かれる。
【００２２】
本体から転写紙を反転して排出する時には、排紙フラッパ１５４を上方へ上げ、フラッパ１５７を右方向へ倒し、複写済みの転写紙を搬送パス１５５側へ搬送し、転写紙の後端が第１の送りローラ１６２を通過した後に、反転ローラ１６３によって第２の送りローラ１６２ａ側へ搬送し、排出ローラ１６１によって、転写紙を裏返して機外へ排出される。
【００２３】
図３はリーダ部１のブロック図である。ＣＣＤ２０９から出力された画像データはＡ／Ｄ・ＳＨ部２ｌ０でアナログ／デジタル変換が行われるとともに、シェーディング補正が行われる。Ａ／Ｄ・ＳＨ部２ｌ０によって処理された画像データは画像処理部２ｌｌを介してプリンタ部２へ転送されるとともに、インターフェイス部２１３を介して画像入出力制御部３のコア部１０へ転送される。ＣＰＵ２１４は操作部５００で設定された設定内容に応じて画像処理部２ｌ１及びインターフェイス２１３を制御する。
【００２４】
例えば、操作部５００でトリミング処理を行って複写を行う複写モードが設定されている場合は、画像処理部２１１でトリミング処理を行わせてプリンタ部２へ転送させる。また、操作部５００でファクシミリ送信モードが設定されている場合は、インターフェイス２１３から画像データと設定されたモードに応じた制御コマンドをコア部ｌ０へ転送させる。このようなＣＰＵ２１４の制御プログラムはメモリ２１６に記憶されており、ＣＰＵ２１４はメモリ２１６を参照しながら制御を行う。
【００２５】
また、メモリ２１６はＣＰＵ２１４の作業領域としても使われる。さらに、メモリ２１６は、複写機ユーザの部門番号とパスワードを登録するためにも使用される。
【００２６】
図４はコア部１０のブロック図である。リーダ部１からの画像データはデータ処理部３２１へ転送されるとともに、リーダ部１からの制御コマンドはＣＰＵ３２３へ転送される。データ処理部３２１は画像の回転処理や変倍処理などの画像処理を行うものであり、リーダ部１からデータ処理部３２１へ転送された画像データは、リーダ部１から転送された制御コマンドに応じて、インターフェイス３２０を介してファクシミリ部４、ファイル部５、ネットワークインターフェイス部７へ転送される。
【００２７】
また、ネットワークインターフェイス部７を介して入力された画像を表すコードデータは、データ処理部３２１に転送され、そのＰＤＬがＬＩＰＳであるのかあるいはポストスクリプトであるのかを判定し、しかるべきフォーマッタ部８ないし９へ転送されて画像データに展開され、この画像データはデータ処理部３２１に転送された後、ファクシミリ部４やプリンタ部２へ転送される。
【００２８】
ファクシミリ部４からの画像データは、データ処理部３２１へ転送された後、プリンタ部２やファイル部５、ネットワークインターフェイス部７へ転送される。また、ファイル部５からの画像データは、データ処理部１２１へ転送された後、ブリンタ部２やファクシミリ部４、ネットワークインターフェイス部７へ転送される。
【００２９】
ＣＰＵ３２３はメモリ３２４に記憶されている制御プログラム、及びリーダ部１から転送された制御コマンドに従ってこのような制御を行う。また、メモリ３２４はＣＰＵ３２３の作業領域としても使われる。ネットワークインターフェース部７にはＭＩＢ(Management Information Base)と呼ばれるデーターベースが構築されており、ＳＮＭＰプロトコルを介してネットワーク上のコンピュータと通信し、プリンタの管理が可能になっている。
【００３０】
このように、コア部１０を中心に、原稿画像の読み取り、画像のプリント、画像の送受信、画像の保存、コンピュータからのデータの入出力などの機能を複合させた処理を行うことが可能である。
【００３１】
図５は本実施形態におけるデジタル複写機の操作部５００に表示される基本画面を示す説明図である。なお、この画面はタッチパネルとなっており、それぞれ表示される機能の枠内を触れることにより、その機能が実行される。
【００３２】
コピーモードキー５２４は、複写動作を行う場合に押すキーである。そしてこのキー５２４が押されたときに、図７に示すコピーモードの画面を表示する。拡張機能キー５０１は、このキーを押すことによって両面複写、多重複写、移動、とじ代の設定、枠消しの設定等のモードに入る。画像モードキー５０２は、複写画像に対して網掛け、影付け、トリミング、マスキングを行うための設定モードに入る。ユーザモードキー５０３は、モードメモリの登録、標準モード画面の設定が行える。応用ズームキー５０４は、原稿のＸ方向、Ｙ方向を独立に変倍するモード、原稿サイズと複写サイズから変倍率を計算するズームプログラムのモードに入る。
【００３３】
Ｍ１キー５０５、Ｍ２キー５０６、Ｍ３キー５０７は、それぞれに登録されたモードメモリを呼び出す際に押すキーである。オプションキー５０９は、フィルムから直接複写するためのフィルムプロジェクタ等のオプション機能の設定を行うキーである。
【００３４】
ソータキー５１０は、メカソータを使用するか、電子ソータを使用するかの設定、ソータのソート、グループ等のモード設定を行うキーである。原稿混載キー５１１は、原稿フィーダにＡ４サイズとＡ３サイズ、またはＢ５サイズとＢ４サイズの原稿を一緒にセットする際に押すキーである。
【００３５】
等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は、キー５１８を押す毎に濃く複写され、キー５２０を押す毎に薄く複写される。濃度表示５１７は、濃度キーを押すと表示が左右に変化する。ＡＥキー５１９は、新聞のように地肌の濃い原稿を自動濃度調整複写するときに押すキーである。
【００３６】
ＨｉＦｉキー５２１は、写真原稿のように中間調の濃度が多い原稿の複写の際に押すキーである。文字強調キー５２２は、文字原稿の複写で文字を際だたせたい場合に押すキーである。ガイドキー５２３は、あるキーの機能がわからないとき押すキーであり、そのキーの説明が表示される。
【００３７】
ファックスキー５２５は、ファックスを行うときに押すキーであり、ファイルキー５２６は、ファイルデータを出力したいときに押すキーである。プリンタキー４２７は、プリントの濃度を変更したり、リモートのホストコンピュータからのＰＤＬデータのプリント出力結果を参照したい場合に押すキーである。
【００３８】
５３０は、プリンタ選択キーであり、本発明に係わる、リモートコピー、重連コピー行う場合の受信側複写機を選択する際に押すキーである。これを押した場合、図７の画面となる。
【００３９】
図６は、本発明に係わる、リモートコピー、重連コピーを可能とした画像出力システムの図を示している。
【００４０】
１３、２０、２１は、これまで説明してきた構成を備えるデジタル複写機である。デジタル複写機１３、２０、２１は、お互いにネットワークを通じて、例えば、ＴＣＰ／ＩＰなどのプロトコルで、部門ＩＤや、画像データのやりとりを行う。
【００４１】
たとえば、リモートコピー、重連コピーの送信側としてデジタル複写機１３、受信側としてデジタル複写機２０としてもよい。その場合、デジタル複写機１３のスキャナで読み取った原稿画像データを、ネットワークを介して、デジタル複写機２０に送信し、デジタル複写機２０のプリンタでプリントし、リモートコピーを行う。または、このとき、デジタル複写機１３のプリンタにも同時に原稿画像データをプリントすることで、重連コピーを行う。
【００４２】
例えば、デジタル複写機１３に５部プリント、デジタル複写機２０に５部プリントすることで、１台の複写機で１０部プリントするよりも、２倍近い速さで同じ１０部のプリントを得ることができる。さらに、受信側のデジタル複写機として、２１を加え、送信側であるデジタル複写機１３のプリンタで４部プリント、受信側であるデジタル複写機２０で３部プリント、受信側であるデジタル複写機２１で３部プリントし、さらに速いパフォーマンスで、合計１０部のプリントを得ることができる。
【００４３】
図７は、図５に示す画面おいて、プリンタ選択キー５３０を押した場合に表示する操作部５００の様子を示す図である。ここで、リモートコピーまたは重連コピーの受信側の複写機を選択する。
【００４４】
７００は、複写機名称欄であり、ネットワークに接続されている、受信側の複写機の名称を表示している。７０１は状況表示欄であり、受信側の複写機と通信ができているかどうかを示している。通信が正常ならＯＫ、異常か、受信側の複写機の電源がＯＦＦなら、ＮＧと表示している。
【００４５】
７０２は、ＩＰアドレス欄であり、各受信側の複写機のＩＰアドレスを表示している。例えば、総務ＧＰ２１５というデジタル複写機とは、通信可能であり、ＧＰ２１５のデジタル複写機のＩＰアドレスが、１２３．４５６．７８９．０００であることを示している。７０３は、ＩＰアドレス指定欄であり、この部分をタッチした後、図示しないテンキーによりＩＰアドレスを入力し、検索キー７０９を押して、新規の受信側の複写機をサーチすることができる。サーチが成功したら、名称欄７０４に、検索された受信側の複写機の名称が表示され、状況欄７０５がＯＫとなる。一定時間検索しても見つからなかったときは、例えば「複写機が見つかりません」等のメッセージを図７の上部に表示する。７０６、７０７は、それぞれ下スクロールキー、上スクロールキーであり、受信側の複写機の一覧が一画面で表示しきれない場合、画面をスクロールする。
【００４６】
７０８は重連キーであり、指定した受信側複写機と重連コピーを行う場合に押す。押したらキーが反転し（黒くなって）、重連コピーを行うことになり、もう一度押したらキーが白くなり重連コピーでなく、リモートコピーを行うことになる。また、複写機を指定する場合は、指定したい複写機の名称欄をタッチし、表示を反転させる。図７の場合、総務ＧＰ２１５が指定された状態となる。７１０はＯＫキーであり、受信側複写機として指定した複写機の名称欄を押して、リモートコピー、あるいは重連コピーを行いたい場合に押し、図５の画面に戻る。あるいは、何も指定せずに、ＯＫキーを押し、図５の画面に戻ってもよい。受信側複写機を指定して、図５に戻った場合、５３０プリンタ選択キーが反転した状態となる。指定せず図５に戻った場合、５３０プリンタ選択キーは、反転しない。
【００４７】
次に、本発明の特徴でもある、重連、リモートコピーにおけるセキュアドプリントについて説明する。
【００４８】
図８は、図７において、重連キー７０８を押し重連コピーが指定された場合に表示する操作部の様子を示す図である。ここで、重連先のプリントをセキュアドプリントにするか否かを選択する。８０１を押すことで、重連先のプリントがセキュアドプリント扱いになり、８０２を押すと、通常の重連コピーが行われる。また、８０３を押すことで図５の画面に戻ることができる。
【００４９】
図９は、図８において、８０１を押すことにより、重連先をセキュアドプリント扱いにした場合に表示する操作部５００の様子を示す図である。ここで、セキュアドプリントに必要な暗証番号を入力することになる。ここで操作部５００のテンキーより任意の数値を打ち込むと、９０１に打ち込まれた様子が表される。その後、９０２を押すことにより暗証番号が記憶され、重連コピーがスタートする。また、９０３を押すことで図８の画面に戻ることができる。
【００５０】
次に、図１０において、リモートコピーまたは重連コピーを行う場合における、送信側の複写機１３の制御フローを説明する。なお、以下の処理は、コア部３のＣＰＵ３２３により制御され、実行される。
【００５１】
まず、図５の操作部５００における操作者の入力に応じて、コピーモード、例えば、片面コピー１０部などの設定を行う（Ｓ５０１）。
【００５２】
そして、図５のプリンタ選択キー５３０の押下に応じて表示される図７の選択画面において、受信側の複写機２０の選択を行う。例えば、総務ＧＰ２１５の表示を反転させ、ＯＫキー７１０が押されることにより、総務ＧＰ２１５が重連コピー先として選択される（Ｓ５０２）。ここで、総務ＧＰ２１５が、図６に示される受信側の複写機２０に対応している。
【００５３】
次に、選択した受信側の複写機がコピー可能かどうかを判断する（Ｓ５０３）。ステップＳ５０３において、例えば、両面コピーを行うのに、受信側の複写機に両面ユニットが無い場合など、コピーが行えないと判断した場合は、図５の上部に警告メッセージを表示する（Ｓ５０４）。つまり、ステップＳ５０３において、受信側複写機とネットワークを介して通信を行い、受信側複写機の両面ユニットの装着状況等、受信側複写機の情報を取得している。なお、ステップＳ５０４において警告メッセージを表示した後は、ステップＳ５０１に戻る。
【００５４】
ステップＳ５０３において、コピー可能であると判断した場合、受信側複写機２０におけるプリントは、セキュアドプリント扱いにするかどうかを決めるために、図８の選択画面を表示する。ここで、操作者により“はい”８０１が押下された場合は、セキュアドプリント扱いにすると判断し、“いいえ”８０２が押下された場合は、セキュアドプリント扱いにしないと判断する（Ｓ５０５）。
【００５５】
ステップＳ５０５においてセキュアドプリント扱いにすると判断したら、次は、暗証番号の入力画面が表示され、暗証番号の入力が促される（Ｓ５０６）。この入力は図９に示すとおりである。
【００５６】
ステップＳ５０６において表示した画面で暗証番号が入力され、ＯＫキー９０２が押されたことに応じて、セキュアドプリントの情報（暗証番号等）がネットワークを通じて、重連コピー先へ転送され（Ｓ５０７）、次の、ステップＳ５０８へ処理が移る。
【００５７】
一方、ステップＳ５０５において、セキュアドプリント扱いにしないと判断すると、通常の重連コピーとなるため、ステップＳ５０８に処理が移る。
【００５８】
次に、原稿画像をスキャンし、画像データをメモリ２１６に蓄積する（Ｓ５０８）。そして、全原稿をスキャンして画像データをすべてメモリ２１６に蓄積し終わったかを判断し（Ｓ５０９）、まだ終わってないと判断されたら、ステップＳ５０８に戻り、読み取りと蓄積動作を続ける。ステップ５０８の読み取りと蓄積動作が終わったと判断されたなら、コピーモードがリモートコピーか、重連コピーかを判断する（Ｓ５１０）。
【００５９】
ステップＳ５１０において、重連キー７０８が押されている、重連コピーであると判断した場合、メモリ２１６に蓄積されている画像データを読み出し、プリントする（Ｓ５１１）。
【００６０】
重連コピーではなく、リモートコピー等であると判断した場合や、重連コピーにおけるＳ５１１での処理が終了した場合、メモリ２１６から、原稿画像データを読み出し、読み出した画像データを、ＣＰＵ２１４、画像処理部２１１、Ｉ／Ｆ２１３、Ｉ／Ｆ３２２、データ処理部３２１、Ｉ／Ｆ３２０を介して、ネットワークインターフェース部７に転送する。そして、ネットワークを通じて、受信側複写機２０へ、原稿画像データを転送する（Ｓ５１２）。
【００６１】
そして、全原稿画像データを読み出し、転送終了したかを判断し（Ｓ５１３）、終了していないと判断した場合、ステップＳ５１０に戻る。画像データの転送が終了したと判断した場合、重連コピーで必要部数分、送信側複写機でプリント終了したかを判断する（Ｓ５１４）。ここで、まだ終了していないと判断した場合、画像データを１部プリントし（Ｓ５１５）、ステップＳ５１４に戻る。そして、必要部数分プリントしたと判断した場合、送信側の複写機１３における処理が終了する。
【００６２】
次に、リモートコピーまたは重連コピーを行った場合における、受信側の複写機２０の制御フローを図１１に示す。なお、以下の処理は、コア部３のＣＰＵ３２３により制御され、実行される。
【００６３】
まず、送信側複写機１３において送信されたコピー情報データを、受信側複写機のネットワークインタフェース部７、Ｉ／Ｆ３２０、データ処理部３２１、Ｉ／Ｆ３２２、Ｉ／Ｆ２１３画像処理部２１１を介して、受け取り、例えば、両面コピーで５部プリントするような指示を受ける。このとき、例えば、自分の複写機に両面ユニットが無いとしたら、警告情報を、同じルートで逆方向に、送信側複写機１３へネットワークで返信する。ここで、同時にセキュアドプリントであるか否かの情報、セキュアドプリントである場合、それに対応する暗証番号も受信する（Ｓ６０１）。
【００６４】
次に、Ｓ６０１で受信した情報を元にセキュアドプリントであるか否かを判断し（Ｓ６０２）、セキュアドプリントである場合、その後、送信側複写機１３からの原稿画像データを同じルートで受信し、メモリ２１６に格納する（Ｓ６０３）。
【００６５】
そして、全画像を受信したかどうかを判断し（Ｓ６０４）、全画像を受信していない場合、ステップＳ６０３に戻り画像受信を続ける。
【００６６】
また、ステップＳ６０４において、全画像を受信したと判断した場合、暗証番号が操作部５００から入力されたかどうかを判断し（Ｓ６０５）、入力されたと判断した場合、その暗証番号が正しいかどうかを判断する（Ｓ６０６）。
【００６７】
ステップＳ６０６において、暗証番号が間違っていると判断された場合、ユーザに対し警告表示画面を表示する（Ｓ６０７）。
【００６８】
ステップＳ６０６において、暗証番号が正しいと判断された場合、メモリ２１６に格納された原稿画像データを読み出し、画像処理部２１１を介して、プリンタ部２に転送し、プリントする（Ｓ６０８）。
【００６９】
一方、ステップＳ６０２でセキュアドプリントでないと判断された場合、送信側複写機１３からの原稿画像データを同じルートで受信し、メモリ２１６に格納する（Ｓ６０９）。その後、メモリ２１６に格納された原稿画像データを読み出し、画像処理部２１１を介して、プリンタ部２に転送し、プリントする（Ｓ６１０）。
【００７０】
そして、全原稿画像データを受信したかを判断し（Ｓ６１１）、受信していないなら、ステップＳ６０９に戻り、ステップＳ６０９、６１０の処理を続行する。
【００７１】
ステップＳ６１１において、画像を受信し終わったと判断されたら、コピー情報データ内で指示された全部数分をプリントし終わったかを判断し（Ｓ６１２）、まだなら、メモリ２１６に格納された原稿画像データを読み出し、画像処理部２１１を介してプリンタ部２に転送し１部プリントをして（Ｓ６１３）、ステップＳ６１２に戻る。
【００７２】
Ｓ６１２において、全部数分プリントし終わったと判断したら、受信側複写機２０における処理が終了する。
【００７３】
以上説明してきたように、本実施形態では、送信側の複写機１３において、リーダ部１により読み取られる原稿の画像データに関するセキュリティ情報として、暗証番号を図９の表示画面上から入力し、画像データの受信側の複写機２０に対して、暗証番号を転送するようにした。そして、受信側の複写機２０において、操作部から暗証番号を入力し、送信側の複写機１３から受信した暗証番号と入力した暗証番号が、一致しているか否かを判定し、一致している場合に、送信側の複写機１３から受信した画像データをプリント出力するようにした。
【００７４】
これにより、受信側装置が離れている場合においても、暗証番号に応じたセキュアドプリント処理ができるので、コピー画像の機密性を十分に保つことができる。
【００７５】
また、複写機２０において、暗証番号が一致しないと判定された場合、操作者に対し警告を出すようにしたので、操作者が速やかに暗証番号の再入力に移行することができ、プリントアウトの遅れを回避することができる。
【００７６】
（他の実施形態）
上記実施形態では、セキュアドプリントのためのセキュリティ情報として、暗証番号を用いたが、本発明はこれに限るものではない。例えば、部門管理用のＩＤを用いても良い。この場合、送信側の複写機では、挿入されたＩＤカードから部門ＩＤが入力され、入力した部門ＩＤを受信側の複写機へ転送する。受信側の複写機では、同様にＩＤカードが挿入されることにより部門ＩＤが入力され、受信したＩＤと入力された部門ＩＤが一致すれば、画像出力が行われるようにする。
【００７７】
また、上記実施形態では、画像処理装置として、デジタル複写機を用いたが、本発明は、これに限るものではない。例えば、受信側の画像処理装置として、プリンタ装置単体を用いてもよい。同様に、送信側の画像処理装置として、スキャナ装置単体を用いてもよい。また、受信側の画像出力先として、プリンタ出力のための紙媒体ではなく、ハードディスク等、記憶媒体としてもよい。
【００７８】
さらに、本発明は、送信側、受信側の２つの装置のみでなく、それ以外の装置を用いて実施されてもよい。例えば、送信側の画像処理装置に関る処理を、スキャナ装置とパーソナルコンピュータ（ＰＣ）を用いて実行させてもよい。この場合、画像データの読み取りのみをスキャナ装置に実行させ、スキャナ装置を管理するＰＣにおいて、暗証番号等セキュリティ情報を入力し、入力したセキュリティ情報を受信側の画像処理装置に対して転送するような構成が考えられる。この装置構成の場合、ＰＣにおいて実行されるコピーアプリケーションが、本発明の一部を実行することになる。
【００７９】
【発明の効果】
以上説明してきたように、本発明によれば、自装置にてセキュリティ情報の入力がなされたうえで処理対象の画像データの印刷を実行可能にする機能と通信手段とを備えた複数の画像形成装置を具備しており、且つ、処理すべき画像データの印刷を複数の画像形成装置にて実行させる重連動作が実行可能な、画像処理システムにおいて、重連動作を行う場合に、画像データの受信側装置が離れている場合においても、セキュリティ情報に応じたコピー処理ができ、コピー画像の機密性を十分に保つことができるという効果がある。
【図面の簡単な説明】
【図１】本発明を適用可能なデジタル複写機の構成を示すブロック図である。
【図２】図１を用いて説明したデジタル複写機の断面図である。
【図３】リーダ部１のブロック図である。
【図４】コア部１０のブロック図である。
【図５】デジタル複写機の表示部に表示される基本画面を示す説明図である。
【図６】本発明に係わる、リモートコピー、重連コピーを可能とした画像出力システムを説明するための図である。
【図７】プリンタ選択キー５３０を押した場合に表示する操作部の様子を示す図である。
【図８】重連コピーが指定された場合に表示する操作部の様子を示す図である。
【図９】重連先をセキュアドプリント扱いにした場合に表示する操作部の様子を示す図である。
【図１０】リモートコピーまたは重連コピーを行う場合における、送信側の複写機１３の制御フローを説明するための図である。
【図１１】リモートコピーまたは重連コピーを行った場合における、受信側の複写機２０の制御フローを説明するための図である。
【符号の説明】
１  リーダ部
２  プリンタ部
３  画像入出力制御部
１０  コア部
１３  デジタル複写機
２０  デジタル複写機
２１  デジタル複写機
１００  複写装置本体
２１３  インターフェース
２１４  ＣＰＵ
２１６  メモリ
３２０  インターフェース
３２２  Ｉ／Ｆ
３２３  ＣＰＵ
３２４  メモリ
５２４  コピーキー
５２８  ＩＤキー
７００  複写機名称欄
７０１  状況表示欄
７０２  ＩＰアドレス欄
７０３  ＩＰアドレス指定欄
７０４  名称欄
７０５  状況欄
７０８  重連キー
７１０  ＯＫキー
９０１  暗証番号入力表示欄
９０２  ＯＫキー
９０３  取り消しキー
【図１】
0003870055.tif 000002
【図２】
0003870055.tif 000003
【図３】
0003870055.tif 000004
【図４】
0003870055.tif 000005
【図５】
0003870055.tif 000006
【図６】
0003870055.tif 000007
【図７】
0003870055.tif 000008
【図８】
0003870055.tif 000009
【図９】
0003870055.tif 000010
【図１０】
0003870055.tif 000011
【図１１】
0003870055.tif 000012